(57)【要約】【課題】  レール上及びレール近傍に散乱したバラストを的確に整理することが可能なバラスト整理装置及びバラストレギュレータを提供する。【解決手段】  バラスト整理装置１０は、回転軸Ｃを中心に回転可能なブラシ取付部１１と、ブラシ取付部１１に取り付けられる第１ブラシ１２と、ブラシ取付部１１から回転軸Ｃに沿って離れるほど、第１ブラシ１２よりも回転軸Ｃから遠ざかる方向へ広がっている第２ブラシ１３と、を備えることを特徴とする。【選択図】図２
2018003375.tif 000002
【特許請求の範囲】
【請求項１】
回転軸を中心に回転可能なブラシ取付部と、
前記ブラシ取付部に取り付けられる第１ブラシと、
前記ブラシ取付部から前記回転軸に沿って離れるほど、前記第１ブラシよりも前記回転軸から遠ざかる方向へ広がっている第２ブラシと、
を備えることを特徴とするバラスト整理装置。
【請求項２】
前記第１ブラシ及び前記第２ブラシは、弾性体のチューブから形成され、
前記第２ブラシは、前記第１ブラシに取り付けられる
ことを特徴とする請求項１に記載のバラスト整理装置。
【請求項３】
前記第２ブラシは、前記第１ブラシより径が小さい
ことを特徴とする請求項１又は２に記載のバラスト整理装置。
【請求項４】
前記第１ブラシと前記第２ブラシは、一体成型される
ことを特徴とする請求項１乃至３のいずれか１項に記載のバラスト整理装置。
【請求項５】
レール上のバラストを整理するメインスイーパと、
前記メインスイーパに対して進行方向の後方で、請求項１乃至３のいずれか１項に記載のバラスト整理装置を脱着可能に取り付ける支持部と、
を備え、
前記支持部は、
不使用時は前記バラスト整理装置を上方に揺動させて収容し、
使用時は前記バラスト整理装置を回転させる
ことを特徴とするバラストレギュレータ。
【発明の詳細な説明】
【技術分野】
【０００１】
本発明は、レール上及びレール近傍に散乱したバラストを整理するバラスト整理装置及びバラストレギュレータに関する。
【背景技術】
【０００２】
列車はレール上を繰り返し走行するので、レールには徐々に歪みが発生する。この歪みを除去するために、マルチプルタイタンパで、レールを持ち上げ、バラストを突き固めることが知られている。しかしながら、突き固めた後は、レール上又はレール近傍にバラストが散乱していた。
【０００３】
従来、レール上及びレール近傍に散乱したバラストを除去する装置が開示されている（特許文献１参照）。特許文献１に記載されたバラスト除去装置は、軸に対して直交する面内で放射状に取り付けられたブラシを、軸を中心に回転させて、レール隅部のバラストを跳ね上げるものである。
【先行技術文献】
【特許文献】
【０００４】
【特許文献１】特開平１０−４６５０６号公報
【発明の概要】
【発明が解決しようとする課題】
【０００５】
しかしながら、特許文献１に記載されたバラスト除去装置は、バラストを除去する部材が回転軸に対して直交する面内に放射状に取り付けられるので、大きなスペースが必要となる。また、バラストを跳ね上げて除去することになり、装置自身を傷つけたり、跳ね上げたバラストが再びレール上に戻ってしまう可能性があった。
【０００６】
本発明の目的は、レール上及びレール近傍に散乱したバラストを的確に整理することが可能なバラスト整理装置及びバラストレギュレータを提供することである。
【課題を解決するための手段】
【０００７】
本発明の一実施形態にかかるバラスト整理装置は、
回転軸を中心に回転可能なブラシ取付部と、
前記ブラシ取付部に取り付けられる第１ブラシと、
前記ブラシ取付部から前記回転軸に沿って離れるほど、前記第１ブラシよりも前記回転軸から遠ざかる方向へ広がっている第２ブラシと、
を備えることを特徴とする。
【０００８】
本発明の一実施形態にかかるバラスト整理装置は、
前記第１ブラシ及び前記第２ブラシは、弾性体のチューブから形成され、
前記第２ブラシは、前記第１ブラシに取り付けられる
ことを特徴とする。
【０００９】
本発明の一実施形態にかかるバラスト整理装置は、
前記第２ブラシは、前記第１ブラシより径が小さい
ことを特徴とする。
【００１０】
本発明の一実施形態にかかるバラスト整理装置は、
前記第１ブラシと前記第２ブラシは、一体成型される
ことを特徴とする。
【００１１】
本発明の一実施形態にかかるバラストレギュレータは、
レール上のバラストを整理するメインスイーパと、
前記メインスイーパに対して進行方向の後方で、請求項１乃至３のいずれか１項に記載のバラスト整理装置を脱着可能に取り付ける支持部と、
を備え、
前記支持部は、
不使用時は前記バラスト整理装置を上方に揺動させて収容し、
使用時は前記バラスト整理装置を回転させる
ことを特徴とする。
【発明の効果】
【００１２】
本発明に係る一実施形態によれば、レール上及びレール近傍に散乱したバラストを的確に整理することが可能なバラスト整理装置及びバラストレギュレータを提供することが可能となる。
【図面の簡単な説明】
【００１３】
【図１】本発明にかかる一実施形態のバラストレギュレータを示す。
【図２】第１実施形態のバラスト整理装置を示す。
【図３】第１実施形態のバラスト整理装置の取付部とレールブラシをレールブラシ側から見た図を示す。
【図４】図３のIV−IV断面図を示す。
【図５】他の例の取付部１１を示す。
【図６】第１実施形態の拡張ブラシを示す。
【図７】第１実施形態のレールブラシに拡張ブラシを取り付けた状態を示す。
【図８】第１実施形態のバラスト整理装置の作動状態を示す。
【図９】第２実施形態のバラスト整理装置の作動状態を示す。
【図１０】第３実施形態のバラスト整理装置の作動状態を示す。
【図１１】第４実施形態のバラスト整理装置の作動状態を示す。
【発明を実施するための形態】
【００１４】
以下、本発明にかかる一実施形態のバラストレギュレータ１及びバラスト整理装置１０について、説明する。
【００１５】
図１は、本発明にかかる一実施形態のバラストレギュレータ１を示す。
【００１６】
本発明にかかる一実施形態のバラストレギュレータ１は、少なくとも、メインスイーパ２と、メインスイーパ２よりも進行方向の後方に設置されたバラスト整理装置１０と、を備え、レールＬの上を走行する。メインスイーパ２は、主に、レールＬの上又は近傍のバラストＢを全体的に整理する。バラスト整理装置１０は、主に、レールＬの下方のバラストＢを全体的に整理する。これに加えて、本実施形態のバラスト整理装置１０は、枕木１００とレールＬを締結する締結部９０の上、レールＬの下方の凹部Ｌ１、及び締結部９０と凹部Ｌ１との間に残ったバラストＢを除去する。
【００１７】
図２は、第１実施形態のバラスト整理装置１０を示す。図３は、第１実施形態のバラスト整理装置１０の取付部１１とレールブラシ１２をレールブラシ側から見た図を示す。図４は、図３のIV−IV断面図を示す。図５は、他の例の取付部１１を示す。
【００１８】
バラスト整理装置１０は、バラストレギュレータ１の支持部３に脱着可能に取り付けられる。また、バラスト整理装置１０は、回転軸Ｃを中心に回転可能である。さらに、バラスト整理装置１０は、支持部３によって揺動可能とされ、不使用時は図２の仮想線で示したように上方に収容しておくことができる。
【００１９】
第１実施形態のバラスト整理装置１０は、少なくとも、ブラシ取付部１１と、レールブラシ１２と、拡張ブラシ１３と、を備える。
【００２０】
ブラシ取付部１１は、バラストレギュレータ１の支持部３に脱着可能な脱着部１１ａと、レールブラシ１２が連結されるレールブラシ連結部１１ｂと、を有する。
【００２１】
脱着部１１ａは、円板状に形成されると好ましい。脱着部１１ａは、支持部３に対して角度が自在に設定できることが好ましい。例えば、ユニバーサルジョイント等で連結し、遠隔操作によって角度を設定できると好ましい。また、ボルト等によって固定してもよい。脱着部１１ａには、レールブラシ連結部１１ｂを取り付けるための受け孔が形成される。受け孔は、脱着部１１ａを貫通しても、凹状に形成されてもよい。
【００２２】
レールブラシ連結部１１ｂは、支持部３とは反対側に向かって脱着部１１ａの受け孔に取り付けられる棒状の部材である。レールブラシ連結部１１ｂは、脱着部１１ａの受け孔に嵌め込まれ、ボルト及びナット等によって取り付けられる。この時、脱着部１１ａとレールブラシ連結部１１ｂの間に絶縁ブッシュを挟むと好ましい。脱着部１１ａの受け孔とレールブラシ連結部１１ｂの外周にネジ山を形成し、螺合する構造としてもよい。
【００２３】
レールブラシ連結部１１ｂの中心軸である第１軸Ｃ１は、支持部３側でそれぞれ回転軸Ｃに交差するように形成されると好ましい。なお、レールブラシ１２が複数ある場合、第１軸Ｃ１のうち少なくとも２つは、回転軸Ｃに対して同じ位置で交差するように形成されると好ましい。すなわち、少なくとも２つの第１軸Ｃ１が回転軸Ｃに対して同じ角度であることが好ましい。
【００２４】
第１実施形態では、４つのレールブラシ連結部１１ｂが回転軸Ｃに同じ位置で交差するように形成されている。しかしながら、レールブラシ連結部１１ｂの数は、いくつでもよい。例えば、図５に示すように、６つのレールブラシ連結部１１ｂを取り付ける構造としてもよい。また、全てのレールブラシ連結部１１ｂが同じ位置で回転軸Ｃに交差する必要は無い。
【００２５】
レールブラシ１２は、レールブラシ連結部１１ｂに取り付けられる。本実施形態のレールブラシ１２は、ゴムホース等のチューブから形成される。レールブラシ１２の内径は、レールブラシ連結部１１ｂの外径にあわせて形成されると好ましい。レールブラシ１２とレールブラシ連結部１１ｂは、バンド、接着剤等によって、固着されることが好ましい。
【００２６】
図６は、第１実施形態の拡張ブラシ１３を示す。図７は、第１実施形態のレールブラシ１２に拡張ブラシ１３を取り付けた状態を示す。
【００２７】
第１実施形態の拡張ブラシ１３は、ゴムホース等のチューブから形成される。拡張ブラシ１３は、図６に示すように、軸方向に沿って切り込みを入れられる。拡張ブラシ１３は、切り込み１３ａから広げられ、広げられた部分を、図７に示すように、レールブラシ１２に巻き付けられ、バンド１４等で固着される。なお、レールブラシ１２に拡張ブラシ１３を固着するには、接着剤等を使用してもよい。
【００２８】
拡張ブラシ１３は、レールブラシ１２と同じ材料、形状又は寸法でも良いが、変形し易い異なる材料、形状又は寸法の方が好ましい。例えば、拡張ブラシ１３は、レールブラシ１２よりも柔軟な材料が好ましい。また、拡張ブラシ１３は、レールブラシ１２よりも肉厚が薄い方が好ましい。拡張ブラシ１３を変形し易い材料、形状又は寸法とすることで、レールブラシ１２への取り付けが容易になる。
【００２９】
さらに、拡張ブラシ１３は、レールブラシ１２よりも径が小さい方が好ましい。径が小さいと、図２に示した枕木１００とレールＬを締結する締結部９０及びレールＬの下方の凹部Ｌ１に入りやすく、バラストの整理が容易になる。
【００３０】
図８は、第１実施形態のバラスト整理装置１０の作動状態を示す。
【００３１】
拡張ブラシ１３は、レールブラシ１２よりも外側に広がるように設置される。すなわち、拡張ブラシ１３は、レールブラシ１２よりも、ブラシ取付部１１から回転軸Ｃに沿って離れるほど、回転軸Ｃから遠ざかる方向へ広がっている。
【００３２】
第１実施形態のバラスト整理装置１０は、作動状態に制御されると、図２に示したように、支持部３とともにレールＬ側に揺動する。この位置で、ブラシ取付部１１が回転軸Ｃを中心に回転する。すると、レールブラシ１２は、締結部９０周囲や締結部９０の上のバラストを整理する。また、拡張ブラシ１３は、図８に示すように、レールＬと締結部９０の間の狭い凹部Ｌ１に入り込み、バラストＢを除去する。
【００３３】
このように、第１実施形態のバラスト整理装置１０によれば、レール上及びレール近傍に散乱したバラストＢを的確に整理することが可能となる。特に、レールＬと締結部９０の間の狭い凹部Ｌ１に入り込み、バラストＢを除去することが可能となる。
【００３４】
図９は、第２実施形態のバラスト整理装置１０の作動状態を示す。
【００３５】
第２実施形態のバラスト整理装置１０は、少なくとも、ブラシ取付部１１と、レールブラシ１２と、拡張ブラシ１５と、を備える。第２実施形態のブラシ取付部１１とレールブラシ１２は、第１実施形態のそれらと同じ構造なので、説明は省略する。
【００３６】
第２実施形態の拡張ブラシ１５は、バラストを除去できる強度を有する径の細い複数の棒状の樹脂から形成される。拡張ブラシ１５は、ブラシ取付部１１又はレールブラシ１２のうち少なくとも１つに接着剤等で固着されればよい。なお、拡張ブラシ１５は、少なくとも一部を束ねて使用してもよい。
【００３７】
拡張ブラシ１５は、レールブラシ１２よりも外側に広がるように設置される。すなわち、拡張ブラシ１５は、レールブラシ１２よりも、ブラシ取付部１１から回転軸Ｃに沿って離れるほど、回転軸Ｃから遠ざかる方向へ広がっている。
【００３８】
第２実施形態のバラスト整理装置１０は、作動状態に制御されると、図２に示したように、支持部３とともにレールＬ側に揺動する。この位置で、ブラシ取付部１１が回転軸Ｃを中心に回転する。すると、レールブラシ１２は、締結部９０周囲や締結部９０の上のバラストを整理する。また、拡張ブラシ１５は、図９に示すように、レールＬと締結部９０の間の狭い凹部Ｌ１に入り込み、バラストを除去する。
【００３９】
このように、第２実施形態のバラスト整理装置１０によれば、レール上及びレール近傍に散乱したバラストＢを的確に整理することが可能となる。特に、レールＬと締結部９０の間の狭い凹部Ｌ１に入り込み、バラストＢを除去することが可能となる。
【００４０】
図１０は、第３実施形態のバラスト整理装置１０の作動状態を示す。
【００４１】
第３実施形態のバラスト整理装置１０は、少なくとも、ブラシ取付部１１と、レールブラシ１２と、拡張ブラシ１６と、を備える。
【００４２】
第３実施形態のブラシ取付部１１は、バラストレギュレータ１の支持部３に脱着可能な脱着部１１ａと、レールブラシ１２が連結されるレールブラシ連結部１１ｂと、拡張ブラシ１６が連結される拡張ブラシ連結部１１ｃと、を有する。
【００４３】
拡張ブラシ連結部１１ｃは、レールブラシ連結部１１ｂと同様に支持部３とは反対側に向かって脱着部１１ａから延びる凸部である。しかしながら、脱着部１１ａに形成された拡張ブラシ連結部１１ｃが取り付けられる受け孔の角度が大きいため、拡張ブラシ連結部１１ｃは、レールブラシ連結部１１ｂよりも傾斜が大きい。すなわち、回転中心である回転軸Ｃに対して、レールブラシ連結部１１ｂの中心軸である第１軸Ｃ１がなす角度θ１ｂよりも、拡張ブラシ連結部１１ｃの中心軸である第２軸Ｃ２がなす角度θ１ｃの方が大きい。
【００４４】
第３実施形態の拡張ブラシ１６は、ゴムホース等のチューブから形成される。拡張ブラシ１６は、レールブラシ１２と同じ材料、形状又は寸法でも良いが、変形し易い異なる材料、形状又は寸法の方が好ましい。例えば、拡張ブラシ１６は、レールブラシ１２よりも柔軟な材料が好ましい。また、拡張ブラシ１６は、レールブラシ１２よりも肉厚が薄い方が好ましい。拡張ブラシ１６を変形し易い材料、形状又は寸法とすることで、レールブラシ１２への取り付けが容易になる。
【００４５】
さらに、拡張ブラシ１６は、レールブラシ１２よりも径が小さい方が好ましい。径が小さいと、図２に示した枕木１００とレールＬを締結する締結部９０及びレールＬの下方の凹部Ｌ１に入りやすく、バラストＢの整理が容易になる。
【００４６】
拡張ブラシ１６は、レールブラシ１２よりも外側に広がるように設置される。すなわち、拡張ブラシ１６は、レールブラシ１２よりも、ブラシ取付部１１から回転軸Ｃに沿って離れるほど、回転軸Ｃから遠ざかる方向へ広がっている。
【００４７】
第３実施形態のバラスト整理装置１０は、作動状態に制御されると、図２に示したように、支持部３とともにレールＬ側に揺動する。この位置で、ブラシ取付部１１が回転軸Ｃを中心に回転する。すると、レールブラシ１２は、締結部９０周囲や締結部９０の上のバラストＢを整理する。また、拡張ブラシ１６は、図１０に示すように、レールＬと締結部９０の間の狭い凹部Ｌ１に入り込み、バラストＢを除去する。
【００４８】
このように、第３実施形態のバラスト整理装置１０によれば、レール上及びレール近傍に散乱したバラストＢを的確に整理することが可能となる。特に、レールＬと締結部９０の間の狭い凹部Ｌ１に入り込み、バラストＢを除去することが可能となる。
【００４９】
図１１は、第４実施形態のバラスト整理装置１０の作動状態を示す。
【００５０】
第４実施形態のバラスト整理装置１０は、少なくとも、ブラシ取付部１１と、レールブラシ１２と、を備える。第４実施形態のブラシ取付部１１は、第１実施形態のそれと同じ構造なので、説明は省略する。第４実施形態のバラスト整理装置１０では、レールブラシ１２は、ブラシ本体１２ａと拡張ブラシ１２ｂを一体に成型したものである。第４実施形態の拡張ブラシ１２ｂは、ブラシ本体１２ａから外側に拡張される。
【００５１】
レールブラシ１２は、レールブラシ連結部１１ｂに取り付けられる。本実施形態のレールブラシ１２は、ゴムホース等のチューブから形成される。ブラシ本体１２ａの内径は、レールブラシ連結部１１ｂの外径にあわせて形成されると好ましい。ブラシ本体１２ａとレールブラシ連結部１１ｂは、バンド、接着剤等によって、固着されることが好ましい。
【００５２】
第４実施形態の拡張ブラシ１２ｂは、ゴムホース等のチューブから形成される。拡張ブラシ１２ｂは、ブラシ本体１２ａと同じ材料で良い。また、拡張ブラシ１２ｂは、ブラシ本体１２ａよりも径が小さい方が好ましい。径が小さいと、図２に示した枕木１００とレールＬを締結する締結部９０及びレールＬの下方の凹部Ｌ１に入りやすく、バラストＢの整理が容易になる。
【００５３】
拡張ブラシ１２ｂは、ブラシ本体１２ａよりも外側に広がるように成型される。すなわち、拡張ブラシ１２ｂは、ブラシ本体１２ａよりも、ブラシ取付部１１から回転軸Ｃに沿って離れるほど、回転軸Ｃから遠ざかる方向へ広がっている。
【００５４】
第４実施形態のバラスト整理装置１０は、作動状態に制御されると、図２に示したように、支持部３とともにレールＬ側に揺動する。この位置で、ブラシ取付部１１が回転軸Ｃを中心に回転する。すると、レールブラシ１２は、締結部９０周囲や締結部９０の上のバラストＢを整理する。また、拡張ブラシ１２ｂは、図１１に示すように、レールＬと締結部９０の間の狭い凹部Ｌ１に入り込み、バラストＢを除去する。
【００５５】
このように、第４実施形態のバラスト整理装置１０によれば、レール上及びレール近傍に散乱したバラストＢを的確に整理することが可能となる。特に、レールＬと締結部９０の間の狭い凹部Ｌ１に入り込み、バラストＢを除去することが可能となる。
【００５６】
以上、本実施形態のバラスト整理装置によれば、回転軸Ｃを中心に回転可能なブラシ取付部１１と、ブラシ取付部１１に取り付けられるレールブラシ１２と、ブラシ取付部１１から回転軸Ｃに沿って離れるほど、レールブラシ１２よりも回転軸Ｃから遠ざかる方向へ広がっている拡張ブラシ１３と、を備えるので、レール上及びレール近傍に散乱したバラストＢを的確に整理することが可能となる。特に、レールＬと締結部９０の間の狭い凹部Ｌ１に入り込み、バラストを除去することが可能となる。
【００５７】
また、本実施形態のバラスト整理装置によれば、レールブラシ１２及び拡張ブラシ１３は、弾性体のチューブから形成され、拡張ブラシ１３は、レールブラシ１２に取り付けられるので、簡単な作業で短時間に形成することが可能となる。
【００５８】
また、本実施形態のバラスト整理装置によれば、拡張ブラシ１３は、レールブラシ１２より径が小さいので、より細かい箇所のバラストＢを除去することが可能となる。
【００５９】
また、本実施形態のバラスト整理装置によれば、レールブラシ１２と拡張ブラシ１２ｂは、一体成型されるので、より簡単な作業で短時間に形成することが可能となる。
【００６０】
また、本実施形態のバラストレギュレータ１によれば、レールＬ上のバラストＢを整理するメインスイーパ２と、メインスイーパ２に対して進行方向の後方で、前記バラスト整理装置１０を脱着可能に取り付ける支持部３と、を備え、支持部３は、不使用時はバラスト整理装置１０を上方に揺動させて収容し、使用時はバラスト整理装置１０を回転させるので、レール上及びレール近傍に散乱したバラストＢを的確に整理することが可能となる。特に、レールＬと締結部９０の間の狭い凹部Ｌ１に入り込み、バラストＢを除去することが可能となる。
【００６１】
なお、ここまで本発明の種々の実施形態について説明したが、本発明はこれらの実施形態のみに限られるものではなく、それぞれの実施形態の構成を適宜組み合わせて構成した実施形態も本発明の範疇となるものである。
【符号の説明】
【００６２】
１…バラストレギュレータ
１０…バラスト整理装置
１１…ブラシ取付部
１１ａ・・・脱着部
１１ｂ・・・レールブラシ連結部
１１ｃ・・・拡張ブラシ連結部
１２…レールブラシ（第１ブラシ）
１２ａ…ブラシ本体（第１ブラシ）
１２ｂ、１３、１５，１６…拡張ブラシ（第２ブラシ）
１４…バンド
【図１】
2018003375.tif 000003
【図２】
2018003375.tif 000004
【図３】
2018003375.tif 000005
【図４】
2018003375.tif 000006
【図５】
2018003375.tif 000007
【図６】
2018003375.tif 000008
【図７】
2018003375.tif 000009
【図８】
2018003375.tif 000010
【図９】
2018003375.tif 000011
【図１０】
2018003375.tif 000012
【図１１】
2018003375.tif 000013